(57)【要約】      （修正有）【課題】使用者の選んだアロマを含み、アロマ放出部分が使用者と直接接触しない筆記具を提供する。【解決手段】筆記具２０は、従来の筆記手段を有する筆記部２２と、使用者と直接接触しないように分離されたアロマ担持部３４と、を含む。アロマ担持部は、アロマを使用者に向かって放出できるように構成される。アロマ担持部は筆記部から、アロマ担持部と筆記部の間の流体の交通を阻止する仕切り板４６によって分離される。この筆記具は、アロマ担持部からあらゆる好みのアロマを拡散させることができる。【選択図】図２Ａ
2015131486.tif 000002
【特許請求の範囲】
【請求項１】
分離された上側及び下側空洞を含む長形胴軸と、
前記胴軸に連結され、前記下側空洞と連通する筆記部であって、従来の筆記手段を含む筆記部と、
前記上側空洞の少なくとも一部の中の拡散ロッドであって、芳香性組成物を受け、拡散させるように構成された拡散ロッドと、
前記拡散ロッドを少なくとも部分的に前記上側空洞の中に保持するように構成されたリテーナと、
を含むことを特徴とする筆記具。
【請求項２】
請求項１に記載の筆記具において、
前記上側及び下側空洞を相互に分離する仕切り板をさらに含み、前記仕切り板が前記空洞間の流体の交通を阻止するように構成されていることを特徴とする筆記具。
【請求項３】
請求項１又は２に記載の筆記具において、
前記仕切り板が前記拡散ロッドと前記筆記部との接触を阻止するように構成されていることを特徴とする筆記具。
【請求項４】
請求項１〜３のいずれか１項に記載の筆記具において、
前記拡散ロッドが前記上側空洞を超えて、少なくとも部分的に前記リテーナの中にまで延びることを特徴とする筆記具。
【請求項５】
請求項１〜４のいずれか１項に記載の筆記具において、
前記拡散ロッドが、摩擦嵌合によって少なくとも部分的に前記上側空洞の中に保持され、十分な力が加えられると取り外すことができることを特徴とする筆記具。
【請求項６】
請求項１〜５のいずれか１項に記載の筆記具において、
前記リテーナが前記長形胴軸に取り外し可能に連結されることを特徴とする筆記具。
【請求項７】
請求項１〜６のいずれか１項に記載の筆記具において、
前記リテーナが、前記拡散ロッドからアロマが通過できるように構成されている散気部を含むことを特徴とする筆記具。
【請求項８】
請求項１〜７のいずれか１項に記載の筆記具において、
前記リテーナが前記拡散ロッドから半径方向に外側に離間されていることを特徴とする筆記具。
【請求項９】
請求項１〜８のいずれか１項に記載の筆記具において、
前記拡散ロッドの移動に抵抗するように構成された、半径方向に内側に延びる突起をさらに含むことを特徴とする筆記具。
【請求項１０】
請求項１〜９のいずれか１項に記載の筆記具において、
前記拡散ロッドが前記突起と摩擦嵌合することを特徴とする筆記具。
【請求項１１】
請求項１〜１０のいずれか１項に記載の筆記具において、
前記リテーナが前記胴軸に取り外し可能に連結され、前記突起が前記胴軸に固定されることを特徴とする筆記具。
【請求項１２】
請求項１〜１１のいずれか１項に記載の筆記具において、
前記拡散ロッドにより拡散される芳香性組成物をさらに含み、前記芳香性組成物がエッセンシャルオイルであることを特徴とする筆記具。
【請求項１３】
上側軸端と下側軸端の間に軸方向に延びる長形胴軸であって、前記上側軸端へと開放する上側空洞を画定する胴軸と、
前記胴軸の前記下側軸端に取り外し可能に連結された筆記部であって、前記上側空洞から流体の流れが分離されている筆記部と、
前記上側空洞の中に取り外し可能に挿入される拡散ロッドであって、芳香性組成物を受け、拡散させるように構成された拡散ロッドと、
前記拡散ロッドを前記上側空洞内に保持するように構成されたリテーナと、
前記拡散ロッドからアロマが通過できるように構成された散気部と、
を含むことを特徴とする筆記具。
【請求項１４】
請求項１３に記載の筆記具において、
前記上側空洞を前記筆記部から流体の流れを分離するように構成された仕切り板をさらに含むことを特徴とする筆記具。
【請求項１５】
請求項１３又は１４に記載の筆記具において、
前記拡散ロッドの移動に抵抗するように構成された、半径方向に内側に延びる突起をさらに含むことを特徴とする筆記具。
【請求項１６】
請求項１３〜１５のいずれか１項に記載の筆記具において、
前記リテーナが前記胴軸に取り外し可能に連結され、前記突起が前記胴軸に固定されていることを特徴とする筆記具。
【請求項１７】
アロマセラピー用拡散物を供給する方法において、
拡散ロッドを筆記具の上側空洞に挿入するステップであって、前記上側空洞が前記筆記具の長形胴軸により画定されているようなステップと、
芳香性組成物を外部供給源から前記拡散ロッドに移すステップと、
リテーナを前記長形胴軸に連結して、前記拡散ロッドが外れるのを阻止するステップと、
を含むことを特徴とする方法。
【請求項１８】
請求項１７に記載の方法において、
前記拡散ロッドからアロマが前記リテーナの穴を通過するようにするステップをさらに含むことを特徴とする方法。
【請求項１９】
請求項１７又は１８に記載の方法において、
前記リテーナを取り外すステップと、
前記拡散ロッドを前記空洞から引き抜くステップと、
別の拡散ロッドを前記空洞に挿入するステップと、
前記リテーナを前記胴軸に再び結合するステップと、
をさらに含むことを特徴とする方法。
【請求項２０】
請求項１７〜１９のいずれか１項に記載の方法において、
前記長形胴軸の前記上側空洞を前記筆記具の筆記部から仕切り板を介して流体の流れを分離するステップをさらに含むことを特徴とする方法。
【発明の詳細な説明】
【技術分野】
【０００１】
本発明は、一般に筆記具に関し、より詳しくは、アロマセラピーのためのアロマを拡散させる筆記具に関する。
【背景技術】
【０００２】
鉛筆、ペン、マーカ、蛍光ペン等の筆記具は様々な表面に文字や印を残すために使用される。これらの器具は日常的用途に使用されることが多く、一般に、胴軸に連結された筆記部を含む。いくつかの例において、このような筆記具が、アロマを放出するような、使用者と接触する胴軸又は筆記具の他の部分を含んでいることがある。このような場合、アロマが使用者及び／又は衣服に移るかもしれず、及び／又はアロマが使用者にとって魅力的ではないかもしれない。そうではなく、筆記具が使用者の選んだアロマを含み、アロマ放出部分が使用者と直接接触しないようにすれば有益であろう。
【発明の概要】
【０００３】
本発明は、従来の筆記手段を含む筆記部と、使用者と直接接触しないように分離されたアロマ担持部と、を含む筆記具に関する。アロマ担持部はアロマが使用者に向けて放出されるように構成される。アロマ担持部は筆記部から仕切り板により分離され、この仕切り板はアロマ担持部と筆記部との間の流体の交通を実質的に阻止する。この筆記具は、アロマ担持部からあらゆる好みのアロマを拡散できる。
【０００４】
１つの態様によれば、筆記具は、分離された上側及び下側空洞を含む長形胴軸と、胴軸に連結され、下側空洞と連通する筆記部であって、従来の筆記手段を含む筆記部と、上側空洞の少なくとも一部の中の拡散ロッドであって、芳香性組成物を受け、拡散させるように構成された拡散ロッドと、拡散ロッドを少なくとも部分的に上側空洞内に保持するように構成されたリテーナと、を含む。
【０００５】
この筆記具は、上側及び下側空洞を相互に分離するための仕切り板をさらに含んでいてもよく、この仕切り板はこれらの空洞間で流体が相互に作用するのを阻止するように構成される。この仕切り板は、拡散ロッドが筆記部と接触するのを阻止するように構成されていてもよい。拡散ロッドは上側空洞を超えて、少なくとも部分的にリテーナの中にまで延びていてもよい。拡散ロッドは少なくとも部分的に上側空洞の中に摩擦嵌合により保持されていてもよく、十分な力をかけると取り外すことができる。
【０００６】
リテーナは、長形胴軸に取り外し可能に連結されていてもよい。リテーナは、拡散ロッドからアロマが通過できるように構成された散気部を含んでいてもよい。リテーナは、拡散ロッドから半径方向に外側に離間されていてもよい。
【０００７】
この筆記具は、拡散ロッドの移動に抵抗するように構成された、半径方向に内側に延びる突起をさらに含んでいてもよい。拡散ロッドは、この突起と摩擦嵌合していてもよい。リテーナは胴軸に取り外し可能に連結されていてもよく、突起は胴軸に固定されていてもよい。
【０００８】
この筆記具は、拡散ロッドによって拡散される芳香性組成物をさらに含んでいてもよく、芳香性組成物はエッセンシャルオイルである。
【０００９】
他の態様によれば、筆記具は、上側軸端と下側軸端の間に軸方向に延びる長形胴軸であって、上側軸端へと開放する上側空洞を画定する胴軸と、胴軸の下側軸端に取り外し可能に連結された筆記部であって、上側空洞から流体の流れが分離された筆記部と、上側空洞の中に取り外し可能に挿入された拡散ロッドであって、芳香性組成物を受け、拡散させるように構成された拡散ロッドと、拡散ロッドを上側空洞内に保持するように構成されたリテーナと、拡散ロッドからアロマが通過できるように構成された散気部と、を含む。
【００１０】
この筆記具は、上側空洞を筆記部から流体の流れを分離するように構成された仕切り板をさらに含んでいてもよい。この筆記具は、拡散ロッドの移動に抵抗するように構成された、半径方向に内側に延びる突起をさらに含んでいてもよい。リテーナは、胴軸に取り外し可能に連結されていてもよく、突起は胴軸に固定されていてもよい。
【００１１】
また別の態様によれば、アロマセラピー用拡散物を供給する方法は、拡散ロッドを筆記具の上側空洞の中に挿入するステップであって、上側空洞が筆記具の長形胴軸によって画定されているようなステップと、芳香性組成物を外部供給源から拡散ロッドに移すステップと、リテーナを胴軸に連結して、拡散ロッドが外れないようにするステップと、を含んでいてもよい。
【００１２】
この方法は、拡散ロッドからアロマがリテーナの穴を通過するようにするステップをさらに含んでいてもよい。この方法は、リテーナを取り外すステップと、拡散ロッドを空洞から引き抜くステップと、別の拡散ロッドを空洞内に挿入するステップと、リテーナを胴軸に再び連結するステップと、をさらに含んでいてもよい。この方法は、長形胴軸の上側空洞を筆記具の筆記部から仕切り板を介して流体の流れを分離するステップをさらに含んでいてもよい。
【００１３】
上記及びその他の特徴を、添付の図面を参照しながら以下により詳しく説明する。
【図面の簡単な説明】
【００１４】
【図１】ある例示的筆記具の側面図である。
【図２Ａ】図１の筆記具の部分断面図である。
【図２Ｂ】図１の筆記具の部分断面図である。
【図２Ｃ】図１の筆記具の部分断面図である。
【図３】図１の筆記具の斜視図である。
【図４】図１の筆記具の分解図である。
【図５】図１の筆記具の上面図である。
【図６】図１の筆記具の正面図である。
【発明を実施するための形態】
【００１５】
ここに開示される原理は一般的に筆記具に応用され、特に、アロマセラピー用の、本明細書において香料又は香りとも称されるアロマを拡散させるペンに応用される。以下に、筆記具をこの文脈における例として説明する。筆記具は、筆記具を使用している間及びそれを引き出し、バッグ、ポケット等の中に保管している間の両方におけるアロマセラピーの提供、例えばアロマの室内への拡散、又は臭気のマスキング、に用いるのに適していてもよい。ここに開示される原理は、マーカ、蛍光ペン、鉛筆等を含む他の筆記手段への応用でも有益であることはもちろん認められ、また理解されるであろう。
【００１６】
ここで、図面、まず図１〜６を詳しく参照すると、ある例示的筆記具、例えばペン20が示されている。ペン20は長い形状であり、従来のボールペンの形状に似ている。当然のことながら、ペン20は他の適当な形状であってもよい。ペン20は、ペン下端24に配置された筆記部22と、ペン上端28に配置されたアロマ拡散部26と、を含む。筆記部22は表面に文字や印を残すように構成され、その一方でアロマ拡散部26は、アロマを有する芳香性組成物を拡散させるように構成されている。アロマ拡散部26は筆記部22に連結されていてもよい。本明細書においては当然のことながら、連結は直接的でも間接的でもよい。
【００１７】
アロマ拡散部26は、リテーナ、例えばリテーナキャップ30と、中空の長形胴軸32と、アロマ担持部、例えばアロマ拡散ロッド34と、を含む。胴軸32は、胴軸上端38と胴軸下端40の間に延びる胴軸貫通路36を画定する。胴軸貫通路36は、胴軸32の仕切り板46によって上側空洞42と下側空洞44に分割される。仕切り板46は上側及び下側空洞42、44を相互に分離し、例えば流体の流れを分離する。当然のことながら、本明細書において、流体の流れの分離とは気体の流れの分離、液体の流れの分離、及びそれらのあらゆる組み合わせを含む。
【００１８】
アロマ拡散ロッド34は少なくとも部分的に上側空洞42内に保持される。拡散ロッド34は、拡散ロッド34を上側空洞42内に十分に収めた時に仕切り板46と接触してもよい。拡散ロッド34の一部は上側空洞42を超えて、胴軸32に連結されたリテーナキャップ30の中にまで延びていてもよい。このようにして、拡散ロッド34はリテーナキャップ30によって上側空洞42の中に保持される。拡散ロッド34はまた、胴軸32のボスとの摩擦嵌合（本明細書において、止り嵌め又は締り嵌めとも呼ばれる）により上側空洞42の中に保持されてもよい。ボス、例えば環状突起48は、胴軸32の内面50から半径方向に内側に延びていてもよい。あるいは、ボスは、他のどのような適当な形状であってもよい。摩擦嵌合は、拡散ロッド34の移動に抵抗するように構成されていてもよい。
【００１９】
拡散ロッド34は、芳香性組成物、例えばエッセンシャルオイル、香水、又はコロンを受け、保持し、拡散するように構成される。保持とは、芳香性組成物の吸収又はその他の担持を含んでいてもよい。拡散ロッド34は、適当な吸収、保持及び／又は拡散特性を有する圧縮繊維質素材、例えば綿で製作されてもよい。エッセンシャルオイル又はその他の芳香性組成物は、拡散ロッド34が上側空洞42に挿入された後に、拡散ロッド34に移され、例えば吸収されてもよい。あるいは、芳香性組成物が拡散ロッド34に移されてから、この拡散ロッド34が上側空洞42に挿入されてもよい。次に、リテーナキャップ30が長形胴軸32に連結され、例えば螺合されてもよく、これによって拡散ロッド34が意図せず上側空洞42から外れることが防止される。リテーナキャップ30は、拡散ロッド34からアロマが使用者に向かって通過できるように構成される。例えば、大気中の酸素又はその他の気体と接触すると、拡散ロッド34に移されていた芳香性組成物がリテーナキャップ30の散気部54の穴52を通って拡散し始めてもよい。このようにして、アロマ拡散部24はアロマセラピーをペン20の使用者に提供できる。
【００２０】
追加の芳香性組成物が補給されてもよく、そのためにはリテーナキャップ30を外し、追加の芳香性組成物を拡散ロッド34に移し、その後、リテーナキャップ30を胴軸32に再び連結する。あるいは、同じ又は異なる芳香性組成物を受けるように構成された交換用の拡散ロッドが、すでにペン20の中に挿入されていた拡散ロッド34と交換されてもよい。拡散ロッドは、再びリテーナキャップ30を外すことによって交換されてもよい。拡散ロッド34が上側空洞42を超えて延びるように構成されている場合、リテーナキャップ30が胴軸32に連結されていないときに、これを容易に把持して上側空洞42から取り外すことができる。現在の拡散ロッド34を取り外すには、現在の拡散ロッド34を突起48との摩擦嵌合に打ち勝つのに十分な力で引き抜いてもよい。その後、交換用の拡散ロッドが上側空洞42に挿入されてもよく、リテーナキャップ30が長形胴軸32に再び連結されてもよい。
【００２１】
ペン20の拡散ロッド34により、従来の芯と組み合わされた従来のエッセンシャルオイル容器と比較して、使用者に柔軟性が提供される。従来のエッセンシャルオイル容器は、限定的な種類のアロマにしか見つけられず、これらは使用者にとって心地よくなく、又は癒しの力がないかもしれない。さらに、限定的な種類のアロマを収容した特定の容器しか、特定の容器の使用が必要な従来の筆記具で使用できる大きさではないかもしれない。これに対して、ペン20の拡散ロッド34には、あらゆる外部の供給源からのあらゆる芳香性組成物、例えば使用者の好みのコロンや香水が移されてもよい。このようにして、使用者はペン20から拡散されるアロマを自由に選択する柔軟性を得ることができる。
【００２２】
ここで、アロマ拡散部26をさらに詳しく参照すると、リテーナキャップ30は拡散ロッド34から半径方向に外側に離間され、また軸方向にも離間されて、拡散ロッド34の芳香性組成物がリテーナキャップ30に移らないようになっている。リテーナキャップ30は、リテーナ管状部60と、散気部62と、を含む。リテーナ管状部60はリテーナ下端68において開放し、例えば拡散ロッド34の少なくとも一部を受けるようになっている。管状部60はまた、リテーナ上端70において散気部54により少なくとも部分的に閉じている。散気部62の構成により、使用者の嗅覚に向かうように集中的に拡散させるために、芳香性組成物からアロマが散気部62を通って実質的に方向付けられる。アロマを使用者に向かって通過できるようにする一方で、散気部62はまた、拡散ロッド34とその中に含まれる芳香性組成物が筆記具の使用者に直接接触するのを実質的に阻止する。
【００２３】
図のように、散気部54は複数の穴52を有するスクリーン74を含む。穴52はスクリーン74を貫通する。穴52は、製造しやすい形状、例えば円形である。散気部54は、スクリーン74をリテーナ管状部60に連結するための連結リング80をさらに含む。例えば、連結リング80はリテーナ管状部60の内面64に、例えば溶接、接着剤、摩擦嵌合又はその他の適当な取り付け手段によって連結されてもよい。リテーナ管状部60の表面、例えば内面64はまた、胴軸32の胴軸上端38への連結を可能にするためのねじ山66を含んでいてもよい。当業者にとっては当然のことながら、リテーナキャップ30は、胴軸32に、他の適当な機械的相互作用、例えばスナップ嵌合又は摩擦嵌合により連結されてもよい。
【００２４】
リテーナ30はまた、穴52より大きいか小さい直径の、又は様々な大きさの穴を有するスクリーンを含む代替的な散気部を含んでいてもよい。あるいは、スクリーン74の代わりに合成又は金属材料のメッシュ又は織物が使用されてもよい。さらに、当然のことながら、使用者は異なる大きさ又は形状の穴を有するリテーナキャップを取り換えて、ペン20のアロマ拡散ロッド34からのアロマ拡散量を変えてもよい。
【００２５】
ここで、胴軸32を参照すると、胴軸上端38に配置された胴軸保持部82と、胴軸下端40に配置された胴軸管状部84が含まれる。クリップ86が胴軸保持部82と胴軸管状部84の各々の間に配置されていてもよく、例えば連結されていてもよい。胴軸保持部82、胴軸管状部84、クリップ86は、溶接、接着剤、又はその他の適当な取り付け手段を介して相互に固定的に連結されてもよい。あるいは、当然のことながら、胴軸32は、固定的に連結される別々の構成部品ではなく、一体の構成部品であってもよい。胴軸保持部82、胴軸管状部84、クリップ86はいずれも、相互に固定的に連結されるのではなく、相互に取り外し可能に連結されてもよい。
【００２６】
胴軸保持部82は突起48を含む。図のように、突起48は半径方向に内側に延びる環状のボスであってもよい。突起48はまた、胴軸保持部82の内側の長さ90の一部に沿って軸方向に延びていてもよい。突起48は、保持部82を通って延びる貫通路92の一部を形成する。突起48は突出部通路94を画定し、これはアロマ拡散ロッド34の圧縮されていない状態の外径より半径方向の大きさが小さく、それによって突起48が拡散ロッド34との摩擦嵌合を介して拡散ロッド34を保持できる。突起48は、リテーナキャップ30に加えて、拡散ロッド34用のリテーナとして機能し、拡散ロッド34の移動に実質的に抵抗し、及び／又はこれを実質的に阻止するように構成される。胴軸保持部82はまた、半径方向に外側にテーパのついた外形を有しているが、他の形状、例えば円筒形の外形等も適している。胴軸保持部82の上端96は、胴軸保持部82の外面100に雄ねじ98等のねじ山を含んでいてもよい。ねじ山98により、胴軸32をリテーナキャップ30に螺合させることが可能となる。これに加えて、胴軸保持部82の下端104はクリップ86に直接、また胴軸管状部84に間接的に連結されてもよい。あるいは、胴軸保持部82はその代わりに、胴軸管状部84に直接連結されてもよい。
【００２７】
胴軸保持部82と同様に、胴軸管状部84もまた、拡散ロッド34を保持するように構成される。胴軸管状部84は、外側スリーブ108と、内側スリーブ110と、仕切り板46と、を含む。内側スリーブ110は、外側スリーブ108に対して半径方向に内側に配置される。外側スリーブ108の外面112は、例えば塗料又は、外面112に取り付けられた、例えば接着剤で取り付けられた上張りによって装飾されていてもよい。外側及び内側スリーブ108、110は少なくとも部分的に、胴軸32の上側及び下側空洞42、44を画定する。
【００２８】
仕切り板46は、内側スリーブ110に対して半径方向に内側に配置される。仕切り板46、外側スリーブ108、内側スリーブ110は、溶接、接着剤又はその他の適当な取り付け手段を介して相互に固定的に連結されていてもよい。あるいは、仕切り板46は外側スリーブ108又は内側スリーブ110のいずれかと一体であってもよく、又は仕切り板46は、胴軸管状部84に取り外し可能に連結されていてもよく、例えばそれと摩擦嵌合していてもよい。前述のように、仕切り板46は上側及び下側空洞42、44を流体の流れを分離するように構成される。仕切り板46は不透過性であってもよく、穴を含んでいなくてもよい。本明細書において、流体の流れの分離は気体の流れの分離、液体の流れの分離又はそのあらゆる組み合わせを含んでいてもよいと理解されるであろう。
【００２９】
上側空洞42はさらに、胴軸保持部80により画定され、それによって、保持部82を通って延びる貫通路92を含む。上側空洞42は、上側開口部114において胴軸保持部82の上端96へと開放している。上側開口部114は拡散ロッド34を受ける。図のように、上側開口部114は突起部通路94より半径方向の大きさが大きく、拡散ロッド34の外径よりもまた半径方向の大きさが大きい。
【００３０】
下側空洞44は、下側開口部118において胴軸管状部84の下端104へと開放している。筆記部22は、胴軸下端40に、及びそれによって胴軸保持部82の下端104に取り外し可能に連結される。下側空洞44は、筆記部22の少なくとも一部を受け、保持するように構成される。筆記部22は、筆記部22と内側スリーブ110の間に摩擦嵌合（本明細書においては、変形嵌合、止り嵌めとも呼ばれる）を介して取り外し可能に保持されてもよい。これに加えて、仕切り板46は上側及び下側空洞42、44間の流体の交通を実質的に阻止するため、仕切り板はまた、上側空洞42と筆記部22の間の流体の交通も実質的に阻止する。拡散ロッド34とその中に収容されたあらゆる芳香性組成物、例えばエッセンシャルオイルもまた、仕切り板46によって、筆記部22と接触しないように流体の流れが分離される。このようにして、その中に収容されている芳香性組成物が筆記部22に移るのが実質的に阻止される。
【００３１】
当業者であれば、エッセンシャルオイルが酸性又は腐食性化学物質を含んでいる可能性があることに気付くであろう。拡散ロッド34と接触する各面は、ステンレススチール又はニッケル等、このようなエッセンシャルオイルとの化学的相互作用による影響を受けない素材で被覆され、又はそれから製作されてもよい。これらの面は、外側及び内側スリーブ108、110の表面等の長形胴軸32の上側空洞42を画定する表面や、突起48の表面及び胴軸保持部82のその他の内面等の胴軸保持部82の表面を含んでいてもよい。
【００３２】
次に、クリップ86を見ると、ペン20は、クリップ86を介して外部の面、例えば使用者の衣服に取り外し可能に取り付けるように構成されていてもよい。クリップ86は、胴軸管状部84に対して外側に弾性的に曲がるように構成される。クリップ86は、胴軸管状部84又は胴軸保持部82の少なくとも一方に連結されるためのクリップリング130を含む。クリップリング130は、胴軸管状部84又は胴軸保持部82のうちの少なくとも一方の外面に連結されてもよく、又はクリップリング130は、胴軸管状部84と胴軸保持部82の間に連結されてもよく、例えばそれらの間に挟まれてもよい。クリップリング130が胴軸管状部84と胴軸保持部82の間に挟まれる場合、クリップリング130は上側空洞42の少なくとも一部を画定してもよい。図のように、クリップ86はまた、延長部材132と、この延長部材132から延びる丸みの付いたボス134を含んでいてもよい。延長部材132とボス134は、クリップ86が外部の面に取り外し可能に取り付けられるように構成されていてもよい。延長部材132は、外側スリーブ108の外面112から離間されていてもよく、例えば半径方向に離間されていてもよい。丸みの付いたボス134は、延長部材132から外面112に向かって延び、外面112と直接接触してもよい。
【００３３】
次に筆記部22を見ると、筆記部22は保持スリーブ136と、インクペンリフィル140と、下側マーキング部142と上側マーキング部146と、運動伝達機構150と、を含む。保持スリーブ136は保持スリーブ上端158と保持スリーブ下端160の間に延びる。保持スリーブ136は、従来の筆記手段、例えばインクペンリフィル140を受けるように構成される。保持スリーブ136はまた、筆記中に使用者により保持され、把持されるように構成される。下側マーキング部142は保持スリーブ上端158に連結され、例えばその中に固定して受けられる。下側マーキング部142は、保持スリーブ136に対して回転することを実質的に阻止される。下側マーキング部142は、上側マーキング部146を受け、回転可能に保持するように構成される。運動伝達機構150は、上側及び下側マーキング部146、142の各々の中に受けられ、そこに移動可能に連結される。インクペンリフィル140は、運動伝達機構150の上端164に連結され、例えば螺合される。これに加えて、筆記部22の上側マーキング部146は、胴軸32に取り外し可能に連結され、例えば胴軸32の下側空洞44の中に少なくとも部分的に受けられ、保持される。あるいは、筆記部22は、他の方法、例えばねじ山又はスナップ嵌合により胴軸32に連結されてもよい。
【００３４】
上側マーキング部146に対して保持スリーブ136が、また下側マーキング部142も回転すると、運動伝達機構150が軸方向に移動する。運動伝達機構150とペンリフィル140が上側及び下側マーキング部146、142の中でペン20のペン下端24に向かって軸方向に一緒に移動する。それによってペンリフィル140の下側筆記端166が保持スリーブ36の保持スリーブ下端160から出入りする。
【００３５】
使用時に、使用者により胴軸32が保持され、胴軸32が回転しないようにするが、保持スリーブ136を第一の方向に回転させると、ペンリフィル140が保持スリーブ下端160から出る。ペンリフィル140を引っ込めるのは、保持スリーブ136を胴軸32に対して反対方向に回転させることによって行うことができる。当業者であればまた、筆記部22がその代わりに、インクペンリフィル40を出し入れするように構成された適当な代替的機構、例えばピンとばねを用いる機構（図示せず）を含んでいてもよいことに気付くであろう。また、当然のことながら、筆記部22は複数のインクペンリフィルを含んでいてもよく、またその代わりにマーカ部材、鉛筆部材、蛍光ペン部材等を含んでいてもよい。さらに当然のことながら、インクペンリフィル140は出入り可能でなくてもよく、ペン20は、ペン20を使用していない時に意図せず表面に文字やマークが残されることがないようにキャップ（図示せず）を含んでいてもよい。
【００３６】
筆記具は特定の実施形態に関して図示し、説明したが、当然のことながら、当業者であれば、本明細書と添付の図面を読み、理解すれば、同等の変更や改良を着想するであろう。例えば、上記の要素（構成部品、アセンブリ、装置、組成物等）により実行される各種の機能に関して、このような要素を説明するために使用される用語（「手段」への言及を含む）は、特に断りがない限り、たとえ本明細書において示された例示的実施形態においてその機能を実行すると開示された構造と構造的に均等でなくても、説明されている要素の特定の機能を実行する（すなわち、機能的に均等である）あらゆる要素に対応することが意図されている。これに加えて、上記においては、ある具体的な特徴がいくつかの説明された実施形態のうちの１つ又は複数に関してのみ述べられていたかもしれないが、このような特徴は、ある特定の、又は具体的な用途にとって望ましい、又は有利であれば、他の実施形態の１つ又は複数のその他の特徴と組み合わせてもよい。
【図１】
2015131486.tif 000003
【図２Ａ】
2015131486.tif 000004
【図２Ｂ】
2015131486.tif 000005
【図２Ｃ】
2015131486.tif 000006
【図３】
2015131486.tif 000007
【図４】
2015131486.tif 000008
【図５】
2015131486.tif 000009
【図６】
2015131486.tif 000010
【外国語明細書】
2015131486.tif 000011
2015131486.tif 000012
2015131486.tif 000013
2015131486.tif 000014
2015131486.tif 000015
2015131486.tif 000016
2015131486.tif 000017
2015131486.tif 000018
2015131486.tif 000019
2015131486.tif 000020
2015131486.tif 000021
2015131486.tif 000022
2015131486.tif 000023
2015131486.tif 000024
2015131486.tif 000025
2015131486.tif 000026
2015131486.tif 000027
2015131486.tif 000028
2015131486.tif 000029
2015131486.tif 000030
2015131486.tif 000031
2015131486.tif 000032